(57)【特許請求の範囲】
【請求項１】
容積型ポンプ機構に連結された吸入配管および吐出配管の少なくとも一方に、所定の容積を有する、その内部に流入する液冷媒を蒸発させることにより得られるガス冷媒を、前記液冷媒の上方に充満させてそのガス冷媒の容積変化により、脈動を緩和させる脈動緩和容器を連通連結してなる液冷媒ポンプにおいて、
容器内に流入する液冷媒の少なくとも一部を蒸発させてガス冷媒とするような高温空気が内部に流入可能な空気口を有する筐体内に、前記容器を設置したことを特徴とする液冷媒ポンプ。
【請求項２】
前記容器外周面側に加熱手段を設置したことを特徴とする請求項１に記載の液冷媒ポンプ。
【発明の詳細な説明】
【０００１】
【産業上の利用分野】
本発明は、例えば氷畜熱式空気調和機に用いられる液冷媒ポンプに関する。
【０００２】
【従来の技術】
従来、液冷媒を移送するには、一般にキャンドモータポンプが用いられていたが、これはコストが高く、また効率が悪いので、実用性に乏しいという問題があった。
【０００３】
【発明が解決しようとする課題】
これに対処するため、密閉型電動圧縮機を液冷媒の移送用ポンプとして用いることが、特開平２ー１７３３８４号公報によって提案された。
しかし、これは液冷媒が間欠的に吸入され、かつ吐出されるので、吸入配管および吐出配管内に大きな脈動が生じ、これに伴って吸入配管および吐出配管が振動し、これに基づいて騒音が発生するという不具合があった。
【０００４】
このような課題を解決できる装置の開発が望まれている。この装置を開発するに当り、本来の目的を達成できることは言うまでもなく、これ以外の条件の１つとして消費電力が小さく省エネルギーの観点からも好ましい装置が望まれている。
【０００５】
本発明は以上のような事情に基づいてなされたものであり、その目的は、吸入配管および吐出配管の少なくとも一方に発生する振動およびこれに基づく騒音を低減でき、しかも消費電力が小さく省エネルギーの観点からも好ましい液冷媒ポンプを提供することにある。
【０００６】
【課題を解決するための手段】
前記目的を達成するため、請求項１に対応する発明は、容積型ポンプ機構に連結された吸入配管および吐出配管の少なくとも一方に、所定の容積を有する、その内部に流入する液冷媒を蒸発させることにより得られるガス冷媒を、前記液冷媒の上方に充満させてそのガス冷媒の容積変化により、脈動を緩和させる脈動緩和容器を連通連結してなる液冷媒ポンプにおいて、容器内に流入する液冷媒の少なくとも一部を蒸発させてガス冷媒とするような高温空気が内部に流入可能な空気口を有する筐体内に、前記容器を設置したことを特徴とする液冷媒ポンプである。
【０００７】
前記目的を達成するため、請求項２に対応する発明は、次のように構成したものである。すなわち、前記容器外周面側に加熱手段を設置したことを特徴とする請求項１に記載の液冷媒ポンプである。
【０００８】
【作用】
請求項１、２のいずれかに対応する発明によれば、脈動緩和用の容器が高温雰囲気で加熱されるので、吸入配管、吐出配管に発生する振動およびこれに基づく騒音を低減でき、しかも脈動緩和用の容器加熱に必要な消費電力が少なく省エネルギーの観点からも好ましい液冷媒ポンプが得られる。
【０００９】
【実施例】
以下、本発明の実施例について図面を参照して説明する。図１は、本発明による液冷媒ポンプの第１実施例を示すもので、（Ａ）はその縦断面図であり、（Ｂ）は（Ａ）のＡーＡ矢に沿う断面図である。密閉容器１の内部には、電動機２と、この下方に電動機２によって駆動される容積型ポンプ機構３が収容されている。そして、密閉容器１の頂部には電動機２に電力を供給するための電極端子２６が取り付けられている。
【００１０】
電動機２のステータ２ａは、密閉容器１に固定され、ロータ２ｂはクランクシャフト４の上部に固定されている。
容積型ポンプ機構３は、クランクシャフト４と、そのクランクピン５に嵌合されたローリングピストン６と、密閉容器１に固定されたシリンダブロック７と、このシリンダブロック７の上端開口を閉塞する上部軸受８と、シリンダブロック７の下端開口を閉塞する下部軸受９と、シリンダブロック７に穿設されたスロット２７内に出没自在に嵌挿されたブレード１０と、このブレード１０の背後に配設されてこれを押推する押えばね１１等からなる。
【００１１】
シリンダブロック７と上部軸受８と下部軸受９とによって囲まれるシリンダ室１２内にローリングピストン６を収容し、このローリングピストン６の外周面にブレード１０の先端を当接せしめることによって、このブレード１０の片側に吸入室１３が、他側に圧縮室１４が形成されている。
【００１２】
クランクシャフト４は、上部軸受８および下部軸受９によってそれぞれ軸承されている。
吸入配管２０は密閉容器１を密封的に貫通して吸入口２１に直結され、吐出配管２２は密閉容器１を密封的に貫通して吐出口２３に直結されている。吐出配管２２は所定の容積Ｖを有する樽状の脈動緩和用の容器３０に連通配管（立上がり管）３１を介して連通連結されている。
【００１３】
そして、容器３０の外周には、シーズヒータ３２が巻回されている。
容積型ポンプ機構３全体および吸入配管２０ならびに吐出配管２２の一部が第１の筐体３３で包囲されている。
【００１４】
また脈動緩和用の容器３０全体および吐出配管２２の一部を上記筐体３３で包囲しても、あるいは第２の筐体３４で包囲してもよく、この場合、筐体３３および筐体３４は、内部に高温空気が流入可能な空気口３４ａを設ける。
【００１５】
クランクシャフト４が電動機２によって回転駆動されると、クランクピン５に嵌合されたローリングピストン６は、シリンダ室１２内で矢印方向に偏心回転運動する。これに伴って、液冷媒が吸入配管２０、吸入口２１を経て吸入室１３内に吸入され、圧縮室１４内の液冷媒が吐出口２３、吐出配管２２を経て吐出される。
【００１６】
これと同時に、密閉容器１内底部に貯溜された潤滑油２５がクランクシャフト４内下部に組み込まれた潤滑ポンプ１８によって吸引され、クランクシャフト４に穿設された給油通路１９を経てクランクシャフト４と上部軸受８及び下部軸受９との摺動面、クランクピン５とローリングピストン６との摺動面、ローリングピストン６とシリンダブロック７との摺動面等に給油される。
【００１７】
吐出配管２２内に流れる液冷媒の一部は、連通配管３１を経て容器３０内に入り、ここでシーズヒータ３２により加熱されて蒸発することによりガス冷媒となって容器３０内に充満する。
【００１８】
一方、ローリングピストン６の１回転毎に液冷媒が吐出されるので、吐出配管２２を流れる液冷媒には脈動が発生するが、この脈動に伴う圧力変動は容器３０内のガス冷媒の容積変化によって緩和または吸収される。この結果、吐出配管２２の振動及びこれに基づく騒音を低減できる。
【００１９】
また、以上の効果に加えて、脈動緩和用の容器３０に必要なシーズヒータ３２の消費電力を大幅に減らすことができる。すなわち、前述の液冷媒ポンプを、例えば冷房設備する場合で、例えば夏の午後１時〜４時のように外気温が高いとき、この高温の雰囲気が筐体３４の空気口３４ａを通して筐体３４の内部に入り、容器３０の周囲に滞留する。この結果、容器３０が時間の経過とともに加熱され、この分だけシーズヒータ３２の消費電力を減らすことができ、場合によっては消費電力を１／１０程度に減らすことも可能となり、省エネルギーの観点からも好ましい。
【００２０】
本発明は、前述した実施例に限定されず、例えば以下のように構成してもよい。
（１）脈動緩和用の容器３０を包囲している筐体３４を除去して容器３０を高温の雰囲気に露出させるようにしてもよい。
【００２１】
（２）脈動緩和用の容器３０を包囲している筐体３４を、ほぼ密閉構造とし、内部に、何らかの手段により得られ高温空気、または太陽光を、積極的に取り込むようにしてもよい。
【００２２】
【発明の効果】
以上述べた本発明によれば、吸入配管および吐出配管の少なくとも一方に発生する振動およびこれに基づく騒音を低減でき、しかも消費電力が小さく省エネルギーの観点からも好ましい液冷媒ポンプを提供できる。
【図面の簡単な説明】
【図１】本発明による液冷媒ポンプの一実施例を示すもので、（Ａ）はその縦断面図であり、（Ｂ）は（Ａ）のＡ−Ａ線に沿って切断し、矢視方向に見た断面図。
【符号の説明】
１…密閉容器、
２…電動機、
３…容積型ポンプ機構、
２０…吸入配管、
２２…吐出配管、
３０…脈動緩和用の容器、
３１…連通配管（立上り管）、
３２…加熱手段
３３，３４…筐体。
【図１】
0003739808.tif 000002